(57)【要約】  反復的な左眼映像及び反復的な右眼映像を交互に生成し、左眼映像と右眼映像とがミックスされる区間中にバックライトをオフさせ、かつ前記左眼映像または右眼映像のみ表示される区間中にバックライトをオンさせ、前記反復的な左眼映像区間及び反復的な右眼映像区間中に左眼シャッターガラス及び右眼シャッターガラスをオープン及びクローズする立体映像の表示方法及び装置を開示する。
2012503218.tif 000002
【特許請求の範囲】
【請求項１】
立体映像の表示方法において、
反復的な左眼映像及び反復的な右眼映像を交互に生成する過程と、
前記左眼映像と右眼映像とがミックスされる表示区間中にバックライトをオフさせ、前記左眼映像または右眼映像のみ表示される区間中にバックライトをオンさせる過程と、
前記バックライトがオンされる間に左眼シャッターガラス及び右眼シャッターガラスを制御する過程と、を含む立体映像の表示方法。
【請求項２】
前記左眼映像及び右眼映像生成過程は、
少なくとも一つ以上の左眼映像と少なくとも一つ以上の右眼映像とを交互に生成する過程であることを特徴とする請求項１に記載の立体映像の表示方法。
【請求項３】
前記左眼映像及び右眼映像生成過程は、
左眼映像／ブラック映像と右眼映像／ブラック映像とを交互に生成する過程であることを特徴とする請求項１に記載の立体映像の表示方法。
【請求項４】
前記反復的な左眼映像及び反復的な右眼映像を交互に生成する過程は、
第１左眼映像及び第１左眼映像を含む映像と、及び第１右眼映像及び第２右眼映像を含む映像とを交互に生成することを特徴とする請求項１に記載の立体映像の表示方法。
【請求項５】
前記バックライトのオン及びオフ過程は、
所定の基準信号に同期してバックライトオンまたはオフを制御し、
第１左眼または第１右眼映像が表示される区間でバックライトをオフし、第２左眼または第２右眼映像が表示される区間でバックライトをオンすることを特徴とする請求項１に記載の立体映像の表示方法。
【請求項６】
前記左眼映像のみ表示される区間は、
第１左眼映像と第２左眼映像とがミックスされて左眼映像のみ表示される区間であることを特徴とする請求項１に記載の立体映像の表示方法。
【請求項７】
前記右眼映像のみ表示される区間は、
第１右眼映像と第２右眼映像とがミックスされて右眼映像のみ表示される区間であることを特徴とする請求項１に記載の立体映像の表示方法。
【請求項８】
前記左眼シャッターガラス及び右眼シャッターガラス制御過程は、
所定の基準信号に同期して前記左眼及び右眼シャッターガラスのオープンまたはクローズを制御し、
前記反復的な左眼映像区間中に、左眼シャッターガラスをオープンして右眼シャッターガラスをクローズし、
前記反復的な右眼映像が表示される区間中に、右眼シャッターガラスをオープンして左眼シャッターガラスをクローズすることを特徴とする請求項１に記載の立体映像の表示方法。
【請求項９】
前記バックライトのオン／オフ過程は、
所定の基準信号によってバックライトのオンまたはオフを制御する過程を含み、
前記左眼シャッターガラス及び右眼シャッターガラス制御は、
バックライトの状態によってシャッターガラスのオープンまたはクローズを制御することを特徴とする請求項１に記載の立体映像の表示方法。
【請求項１０】
前記所定の基準信号は、映像データから抽出される垂直同期信号であることを特徴とする請求項１に記載の立体映像の表示方法。
【請求項１１】
前記所定の基準信号は、タイミング制御器から生成されるＳＴＶ（Ｓｔａｒｔ  Ｖｅｒｔｉｃａｌ）またはＣＰＶ（Ｃｌｏｃｋ  Ｐｕｌｓｅ  Ｖｅｒｔｉｃａｌ）信号であることを特徴とする請求項１に記載の立体映像の表示方法。
【請求項１２】
立体映像の表示装置において、
反復的な左眼映像及び反復的な右眼映像を交互に生成する映像処理部と、
前記映像処理部で生成される左眼映像及び右眼映像から映像データ及び基準信号を抽出するタイミング制御部と、
前記タイミング制御部から生成される基準信号に同期してバックライト駆動制御信号及びシャッター制御信号を生成するブリンキング制御部と、を備え、
前記ブリンキング制御部は、左眼映像と右眼映像とがミックスされる区間中にバックライトをオフさせ、左眼映像または右眼映像のみ表示される区間中にバックライトをオンさせ、バックライトがオンされる時、左眼映像表示区間及び右眼映像表示区間中に左側シャッターガラスをオープンし、右側シャッターガラスをクローズさせることを特徴とする映像表示装置。
【請求項１３】
前記立体映像の表示装置は、ホールドタイプのディスプレイ装置またはバックライトを光源として使用するディスプレイ装置であることを特徴とする請求項１２に記載の映像表示装置。
【請求項１４】
前記シャッターガラス制御信号によって、左眼シャッター及び右眼シャッターに駆動信号を供給する液晶シャッター駆動部をさらに備え、
前記液晶シャッター駆動部は、左眼映像表示区間中に左眼シャッターガラスをオープンさせ、右眼映像表示区間中に右眼シャッターガラスをオープンさせることを特徴とする請求項１２に記載の映像表示装置。
【請求項１５】
前記ブリンキング制御部は、
前記基準信号に同期してトグル形態のブリンキング信号を生成し、前記ブリンキング信号によって前記バックライトのオンまたはオフ動作を制御し、
前記ブリンキング信号のローレベルごとにトグルしてシャッター制御信号を生成し、前記シャッター制御信号によって前記シャッターガラスオープンまたはクローズ動作を制御することを特徴とする請求項１２に記載の立体映像の表示装置。
【請求項１６】
前記ブリンキング制御部でバックライト駆動制御信号及びシャッターガラス制御信号のパルス間隔は、ディスプレイの応答速度によって調節されることを特徴とする請求項１２に記載の映像表示装置。
【請求項１７】
立体映像の表示方法において、
立体映像を具現するために前記反復的な左眼映像及び反復的な右眼映像を、逐次的な複数の映像ラインを持つディスプレイを通じて交互に表示する過程と、
前記反復的な左眼映像及び反復的な右眼映像に同期して複数の発光セグメントで構成されたバックライト装置のターンオン周期及びターンオン区間を調整する過程と、を含む立体映像の表示方法。
【請求項１８】
前記バックライト装置のターンオン周期は、前記映像の垂直同期周期より少なくすることを特徴とする請求項１７に記載の立体映像の表示方法。
【請求項１９】
前記バックライト装置のターンオン周期は、前記映像の垂直同期周期の１／Ｎ周期であり、Ｎは、２より大きいか、または同じ整数であることを特徴とする請求項１７に記載の立体映像の表示方法。
【請求項２０】
前記バックライト装置は、一つの映像フレームを渡る度にターンオンされることを特徴とする請求項１７に記載の立体映像の表示方法。
【請求項２１】
前記バックライト装置のターンオン区間は、一定ディレー間隔または一定でないディレー間隔であることを特徴とする請求項１７に記載の立体映像の表示方法。
【請求項２２】
前記バックライト装置の発光セグメントは、前記ディスプレイの縦方向に複数形成されることを特徴とする請求項１７に記載の立体映像の表示方法。
【請求項２３】
前記バックライト装置のターンオン周期及びターンオン区間調整過程は、
所定の基準信号に同期してバックライトをターンオンまたはターンオフし、
第１左眼映像または第１右眼映像が表示される区間でバックライトをターンオフし、第２左眼または第２右眼映像が表示される区間でバックライトをターンオンし、そのバックライトのセグメント間のターンオン時間を調整することを特徴とする請求項１７に記載の立体映像の表示方法。
【請求項２４】
立体映像の表示方法において、
立体映像を具現するために反復的なブラック映像／左眼映像及びブラック映像／右眼映像を、逐次的な複数の映像ラインを持つディスプレイを通じて交互に表示する過程と、
前記反復的なブラック映像／左眼映像及びブラック映像／右眼映像に同期して、複数の発光セグメントで構成されたバックライト装置のターンオン周期及びターンオン区間を調整する過程と、を含む立体映像の表示方法。
【請求項２５】
前記バックライト装置のターンオン周期は、前記映像の垂直同期周期より少なくすることを特徴とする請求項２４に記載の立体映像の表示方法。
【請求項２６】
前記バックライト装置のターンオン周期は、前記映像の垂直同期周期の１／Ｎ周期であり、Ｎは、２より大きいか、または同じ整数であることを特徴とする請求項２４に記載の立体映像の表示方法。
【請求項２７】
前記ライト装置のターンオン周期及びターンオン区間調整過程は、
所定の基準信号に同期してバックライトをターンオン／ターンオフし、
ブラック映像が表示される区間でバックライトをターンオフし、左眼映像または右眼映像が表示される区間でバックライトをターンオンし、そのバックライトのセグメント間のターンオン時間を調整することを特徴とする請求項２４に記載の立体映像の表示方法。
【請求項２８】
立体映像の表示装置において、
反復的な左眼映像及び反復的な右眼映像を交互に生成し、その映像信号から垂直同期信号を抽出する映像処理部と、
前記映像処理部で生成された左眼映像及び右眼映像から映像データ及び基準信号を抽出するタイミング制御部と、
前記映像処理部で生成された反復的な左眼映像及び反復的な右眼映像をディスプレイする液晶パネル部と、
複数の発光セグメントに区切られて前記液晶パネル部に背景光を提供するバックライト部と、
前記映像処理部で生成される垂直同期信号に同期して、前記バックライト部のターンオン周期及びバックライト内の発光セグメント間のターンオン区間を調整するブリンキング制御部と、を備える立体映像の表示装置。
【請求項２９】
前記ブリンキング制御部は、
前記バックライトのターンオン周期を映像の垂直同期周期の１／Ｎ周期に調整し、Ｎは、２より大きいか、または同じ整数であることを特徴とする請求項２８に記載の立体映像の表示装置。
【請求項３０】
前記ブリンキング制御部は、
前記バックライトのセグメント間のターンオン区間を、一定ディレー間隔または一定でないディレー間隔に調整することを特徴とする請求項２８に記載の立体映像の表示装置。
【請求項３１】
請求項１に記載の方法を行わせるためのプログラムを記録したコンピュータで読み取り可能な記録媒体。
【請求項３２】
立体映像の表示システムにおいて、
調整可能なバックライトを備え、左眼映像と右眼映像との間に所定映像を挿入してシャッター制御信号を生成する立体映像の表示装置と、
前記シャッター制御信号により制御される左眼シャッター及び右眼シャッターを備えるシャッターガラスと、を備える立体映像の表示システム。
【請求項３３】
前記バックライトは、前記所定映像の表示中にターンオフされ、前記左眼映像及び右眼映像の表示中にターンオンされることを特徴とする請求項３２に記載の立体映像の表示システム。
【請求項３４】
前記左眼映像の表示中に前記左眼シャッターはオープンされ、右眼シャッターはクローズされることを特徴とする請求項３２に記載の立体映像の表示システム。
【請求項３５】
前記右眼映像の表示中に前記右眼シャッターはオープンされ、左眼シャッターはクローズされることを特徴とする請求項３２に記載の立体映像の表示システム。
【請求項３６】
前記所定映像は、ブラック映像であることを特徴とする請求項３２に記載の立体映像の表示システム。
【請求項３７】
前記所定映像は、次のシーケンシャル映像と同じであることを特徴とする請求項３２に記載の立体映像の表示システム。
【発明の詳細な説明】
【技術分野】
【０００１】
本発明は、立体映像の表示装置に係り、特に、液晶シャッターガラス方式の立体液晶ディスプレイ装置でクロストーク現象を除去する立体映像の表示方法及び装置に関する。
【背景技術】
【０００２】
通例的に３次元立体映像技術は、両眼視差を用いて物体の立体感を感じさせることである。このような３次元立体映像技術は、メガネを着用するメガネ方式と、メガネを着用しない無メガネ方式とに区切られる。
【０００３】
そのうち、メガネ方式は、液晶シャッターが設けられたメガネで立体映像を具現する。
【０００４】
このような液晶シャッターガラス方式は、６０Ｈｚの周波数期間中に左側目と右側目とにそれぞれ異なる映像を示す。
【０００５】
液晶シャッターガラス方式を用いた立体映像の表示装置は、左眼映像及び右眼映像を交互に速くディスプレイし、液晶シャッターを左、右交互に開閉（ＯＰＥＮ／ＣＬＯＳＥ）する。
【０００６】
しかし、かかる液晶シャッターガラス方式を用いた立体映像の表示装置は、液晶ディスプレイのデータホールディング特性により、１フレーム内で左眼映像と右眼映像とが互いにミックスされるクロストーク現象を発生させる。このようなクロストーク現象は、視聴者の左眼及び右眼に誤った映像を示すので、視聴者の疲労感を引き起こす。
【発明の概要】
【発明が解決しようとする課題】
【０００７】
本発明の一実施形態が解決しようとする課題は、液晶シャッターガラス方式の液晶ディスプレイシステムで、クロストーク現象を除去する立体映像の表示方法及び装置を提供するところにある。
【課題を解決するための手段】
【０００８】
本発明の一実施形態によれば、立体映像の表示方法において、反復的な左眼映像及び反復的な右眼映像を交互に生成する過程と、前記左眼映像と右眼映像とがミックスされる表示区間中にバックライトをオフさせ、前記左眼映像または右眼映像のみ表示される区間中にバックライトをオンさせる過程と、前記バックライトがオンされる間に左眼シャッターガラス及び右眼シャッターガラスを制御する過程と、を含む。
【０００９】
本発明の一実施形態による左眼映像及び右眼映像生成過程は、少なくとも一つ以上の左眼映像と少なくとも一つ以上の右眼映像とを交互に生成する。
【００１０】
本発明の一実施形態による前記左眼映像及び右眼映像生成過程は、左眼映像／ブラック映像と右眼映像／ブラック映像とを交互に生成する。
【００１１】
本発明の一実施形態による前記バックライトのオン及びオフ過程は、所定の基準信号に同期してバックライトオンまたはオフを制御し、第１左眼または第１右眼映像が表示される区間でバックライトをオフし、第２左眼または第２右眼映像が表示される区間でバックライトをオンする。
【００１２】
本発明の一実施形態による前記左眼映像のみ表示される区間は、第１左眼映像と第２左眼映像とがミックスされて左眼映像のみ表示される区間である。
【００１３】
本発明の一実施形態による前記右眼映像のみ表示される区間は、第１右眼映像と第２右眼映像とがミックスされて右眼映像のみ表示される区間である。
【００１４】
本発明の一実施形態による前記左眼シャッターガラス及び右眼シャッターガラス制御過程は、所定の基準信号に同期して前記左眼及び右眼シャッターガラスのオープンまたはクローズを制御し、前記反復的な左眼映像区間中に、左眼シャッターガラスをオープンして右眼シャッターガラスをクローズし、前記反復的な右眼映像が表示される区間中に、右眼シャッターガラスをオープンして左眼シャッターガラスをクローズする。
【００１５】
本発明の一実施形態による前記バックライトのオン／オフ過程は、所定の基準信号によってバックライトのオンまたはオフを制御する過程を含み、前記左眼シャッターガラス及び右眼シャッターガラス制御は、バックライトの状態によってシャッターガラスのオープンまたはクローズを制御する。
【００１６】
本発明の他の実施形態によれば、立体映像の表示装置において、反復的な左眼映像及び反復的な右眼映像を交互に生成する映像処理部と、前記映像処理部で生成される左眼映像及び右眼映像から映像データ及び基準信号を抽出するタイミング制御部と、前記タイミング制御部から生成される基準信号に同期してバックライト駆動制御信号及びシャッター制御信号を生成するブリンキング制御部と、を備え、前記ブリンキング制御部は、左眼映像と右眼映像とがミックスされる区間中にバックライトをオフさせ、左眼映像または右眼映像のみ表示される区間中にバックライトをオンさせ、バックライトがオンされる時、左眼映像表示区間及び右眼映像表示区間中に左側シャッターガラスをオープンし、右側シャッターガラスをクローズさせることを特徴とする。
【００１７】
本発明の一実施形態による前記ブリンキング制御部は、前記基準信号に同期してトグル形態のブリンキング信号を生成し、前記ブリンキング信号によって前記バックライトのオンまたはオフ動作を制御し、前記ブリンキング信号のローレベルごとにトグルしてシャッター制御信号を生成し、前記シャッター制御信号によって前記シャッターガラスオープンまたはクローズ動作を制御する。
【００１８】
本発明の一実施形態による前記ブリンキング制御部でバックライト駆動制御信号及びシャッターガラス制御信号のパルス間隔は、ディスプレイの応答速度によって調節される。
【００１９】
本発明のさらに他の実施形態によれば、立体映像の表示方法において、立体映像を具現するために前記反復的な左眼映像及び反復的な右眼映像を、逐次的な複数の映像ラインを持つディスプレイを通じて交互に表示する過程と、前記反復的な左眼映像及び反復的な右眼映像に同期して複数の発光セグメントで構成されたバックライト装置のターンオン周期及びターンオン区間を調整する過程と、を含む。
【００２０】
本発明のさらに他の実施形態によれば、立体映像の表示方法において、立体映像を具現するために反復的なブラック映像／左眼映像及びブラック映像／右眼映像を、逐次的な複数の映像ラインを持つディスプレイを通じて交互に表示する過程と、前記反復的なブラック映像／左眼映像及びブラック映像／右眼映像に同期して、複数の発光セグメントで構成されたバックライト装置のターンオン周期及びターンオン区間を調整する過程と、を含む。
【００２１】
本発明のさらに他の実施形態によれば、立体映像の表示装置において、反復的な左眼映像及び反復的な右眼映像を交互に生成し、その映像信号から垂直同期信号を抽出する映像処理部と、前記映像処理部で生成された左眼映像及び右眼映像から映像データ及び基準信号を抽出するタイミング制御部と、前記映像処理部で生成された反復的な左眼映像及び反復的な右眼映像をディスプレイする液晶パネル部と、複数の発光セグメントに区切られて前記液晶パネル部に背景光を提供するバックライト部と、前記映像処理部で生成される垂直同期信号に同期して、前記バックライト部のターンオン周期及びバックライト内の発光セグメント間のターンオン区間を調整するブリンキング制御部と、を備える。
【発明の効果】
【００２２】
本実施形態は、液晶パネル部に背景光を提供するバックライト部のターンオン区間及び周期を調整することで、前記クロストーク現象を抑制できる。ブラックデータフレームを用いてバックライトを１フレーム置きでターンオンさせることで、左眼映像及び右眼映像がクロストークされる問題を最小化できる。そして、左眼映像及び右眼映像間クロストークを少なくするためにバックライトのターンオン区間を最小化する必要もないため、輝度の低減を最小化できる。
【図面の簡単な説明】
【００２３】
【図１】本発明による立体映像の表示システムを示す図である。
【図２】図１の液晶シャッターメガネの詳細図である。
【図３】図１の立体映像の表示装置の一実施形態を示す図である。
【図４】図１の立体映像の表示装置の他の実施形態を示す図である。
【図５Ａ】図４のブリンキング制御部の動作タイミング図である。
【図５Ｂ】通例的に右眼映像Ｒと左眼映像Ｌとが、周期Ｔ別に液晶パネル部に表示されることを示す図である。
【図６Ａ】図１の立体映像の表示装置で、左眼映像と右眼映像とのクロストーク現象を除去するタイミングダイヤグラムである。
【図６Ｂ】図１の立体映像の表示装置で、左眼映像と右眼映像とのクロストーク現象を除去するタイミングダイヤグラムである。
【図６Ｃ】図１の立体映像の表示装置で、左眼映像と右眼映像とのクロストーク現象を除去するタイミングダイヤグラムである。
【図６Ｄ】図１の立体映像の表示装置で、左眼映像と右眼映像とのクロストーク現象を除去するタイミングダイヤグラムである。
【図６Ｅ】図１の立体映像の表示装置で、左眼映像と右眼映像とのクロストーク現象を除去するタイミングダイヤグラムである。
【図６Ｆ】図１の立体映像の表示装置で、左眼映像と右眼映像とのクロストーク現象を除去するタイミングダイヤグラムである。
【図７Ａ】一実施形態によって、２４０ＨｚのＬＣＤ ＴＶの液晶パネルに表示される左眼映像及び右眼映像の走査を示すタイミング図である。
【図７Ｂ】一実施形態によって、２４０ＨｚのＬＣＤ ＴＶの液晶パネルに表示される左眼映像及び右眼映像の走査を示すタイミング図である。
【図８Ａ】一実施形態によって、２４０ＨｚのＬＣＤ ＴＶの液晶パネルに背景光を提供するバックライト部の制御タイミング図である。
【図８Ｂ】一実施形態によって、２４０ＨｚのＬＣＤ ＴＶの液晶パネルに背景光を提供するバックライト部の制御タイミング図である。
【図９Ａ】他の実施形態によって、液晶パネルに背景光を提供するバックライト部の制御タイミング図である。
【図９Ｂ】他の実施形態によって、液晶パネルに背景光を提供するバックライト部の制御タイミング図である。
【図１０】本発明の一実施形態による立体映像の表示方法を示すフローチャートである。
【図１１】本発明の他の実施形態による２４０Ｈｚ ＬＣＤ ＴＶで立体映像の表示方法を示すフローチャートである。
【発明を実施するための形態】
【００２４】
以下、添付した図面を参照して本発明の望ましい実施形態を説明する。
【００２５】
図１は、本発明による立体映像の表示システムを示す図である。図１の立体映像の表示システムは、液晶シャッターメガネ１１０と立体映像の表示装置１２０とで構成される。図１を参照するに、立体映像の表示装置１２０は、液晶ディスプレイ、またはＯＬＥＤ（Ｏｒｇａｎｉｃ  Ｌｉｇｈｔ  Ｅｍｉｔｔｉｎｇ  Ｄｉｏｄｅｓ）を採用し、反復的な左眼映像及び反復的な右眼映像を液晶ディスプレイに交互にディスプレイする。そして、立体映像の表示装置１２０は、反復的な左眼映像及び反復的な右眼映像に同期して複数の発光セグメントで構成されたバックライト装置のターンオン周期及びターンオン区間を調整する。望ましくは、前記立体映像の表示装置１２０は、１２０Ｈｚまたは２４０Ｈｚで駆動するバックライトを備える。
【００２６】
液晶シャッターメガネ１１０は、立体映像の表示装置１２０でディスプレイされる反復的な左眼映像及び反復的な右眼映像と同期して、一定時間左眼及び右眼シャッターを交互にオープン及びクローズさせる。例えば、液晶シャッターメガネ１１０は、立体映像の表示装置１２０の画面に左眼映像がディスプレイされれば左眼シャッターをオープンし、画面に右眼映像がディスプレイされれば右眼シャッターをオープンする。
【００２７】
図２は、図１の液晶シャッターメガネ１１０の詳細図である。図２の液晶シャッターメガネ１１０は、左眼シャッター１２２、右眼シャッター１２４、シャッター駆動部１２６で構成される。
【００２８】
シャッター駆動部１２６は、立体映像の表示装置１２０から有線または無線形態にシャッターガラス制御信号を受信し、そのシャッターガラス制御信号によって、左眼シャッター１２２及び右眼シャッター１２４にシャッター駆動信号を供給する。そのシャッター駆動信号は、左眼シャッター１２２及び右眼シャッター１２４のライン区間ごとに別途に提供されうる。
【００２９】
左眼シャッター１２２及び右眼シャッター１２４は、シャッター駆動部１２６から供給されたシャッター駆動信号によりオープン／クローズ動作を行う。
【００３０】
図３は、図１の立体映像の表示装置１２０の一実施形態である。図３の映像立体装置は、映像処理部３１０、タイミング制御部３２０、ブリンキング制御部３３０、バックライト駆動部３４０、バックライト部３５０、走査ドライバ３６０、データドライバ３７０、液晶パネル部３８０で構成される。
【００３１】
映像処理部３１０は、ＤＶＤのような記録媒体で再生される左眼映像及び右眼映像を、反復的な左眼映像及び反復的な右眼映像に操作する。この時、反復的な左眼映像及び反復的な右眼映像は、一実施形態としてフレームディレーを用いて生成できる。また映像処理部３１０は、左眼映像または右眼映像から垂直同期信号Ｖｓｙｎｃを抽出する。
【００３２】
望ましくは、映像処理部３１０は、同じ２回の左眼映像及び同じ２回の右眼映像を交互に出力する。
【００３３】
他の実施形態として、映像処理部３１０は、ＤＶＤのような記録媒体で再生される左眼映像及び右眼映像を、ブラックデータ／左眼映像及びブラックデータ／右眼映像に操作する。
【００３４】
タイミング制御部３２０は、映像処理部３１０から出力される反復的な左眼映像及び反復的な右眼映像から映像データ及びタイミング制御データを抽出する。ここで、タイミング制御データは、ＳＴＶ（Ｓｔａｒｔ  Ｖｅｒｔｉｃａｌ）、ＣＰＶ（Ｃｌｏｃｋ  Ｐｕｌｓｅ  Ｖｅｒｔｉｃａｌ）を含む。
【００３５】
ブリンキング制御部３３０は、映像処理部３１０から抽出された映像信号の垂直同期信号Ｖｓｙｎｃを用いて、バックライト駆動制御信号及びシャッターガラス制御信号を生成する。他の実施形態として、ＳＴＶ、ＣＰＶは、ブリンキング制御信号のための基準信号として利用される。ブリンキング制御部３３０は、ラッチやインバータなどの論理回路を用いて垂直同期信号に同期して、トグル形態のバックライト駆動制御信号及びシャッターガラス制御信号を生成する。例えば、ブリンキング制御部３３０は、左眼映像と右眼映像とがミックスされる表示区間中にバックライトをオフさせ、左眼映像または右眼映像のみ表示される区間中にバックライトをオンさせる。
【００３６】
またブリンキング制御部３３０は、反復的な左眼映像区間中に左側シャッターガラスをオープンさせ、かつ右眼シャッターガラスをクローズさせ、反復的な右眼映像区間中に右側シャッターガラスをオープンさせ、かつ左眼シャッターガラスをクローズさせる。
【００３７】
他の実施形態として、ブリンキング制御部３３０は、映像処理部３２０で発生する映像信号の垂直同期Ｖ−ｓｙｎｃに同期してバックライト駆動制御信号を生成する。この時、ブリンキング制御部３３０は、バックライト駆動制御信号を用いて、Ｍ個のブロックに分けられたバックライトのターンオン周期及びターンオン区間を調整する。ブリンキング制御部３３０は、ラッチやインバータなどの論理回路を用いて、垂直同期信号によってトグル形態のバックライト駆動制御信号を生成する。例えば、ブリンキング制御部３３０は、左眼映像と右眼映像とがミックスされる表示区間中にバックライトをターンオフさせ、左眼映像または右眼映像のみ表示される区間中にバックライトをターンオンさせ、そのバックライトのセグメント間のターンオン時間を調整する。
【００３８】
バックライト駆動部３４０は、ブリンキング制御部３３０に生成されたバックライト駆動制御信号を用いてバックライト駆動信号を出力する。
【００３９】
バックライト部３４０は、バックライト駆動部３４０から出力されるバックライト駆動信号によって液晶パネル部３８０に光源を投射する。この時、バックライト部３４０は、個別的にスイッチング可能な複数の発光セグメントで構成される。その発光セグメントは、液晶パネル部３８０の映像ラインの垂直方向に配列される。
【００４０】
走査ドライバ３６０は、タイミング制御部３２０から生成されたタイミング制御データに応答して、走査選択信号を走査ラインに順次に供給してデータ電圧が供給される水平ラインを選択する。
【００４１】
データドライバ３７０は、タイミング制御部３２０から供給される映像データを該当データラインに供給する。
【００４２】
液晶パネル部３８０は、複数のゲートラインと複数のデータラインとがトリックス形態に配列され、かつゲートラインとデータラインとが垂直交差する領域に画素を配置し、走査ドライバ３６０及びデータドライバ３７０により選択された走査ライン及びデータラインに映像を表示する。
【００４３】
図４は、図１の立体映像の表示装置１２０の他の実施形態である。図４の映像処理部４１０、タイミング制御部４２０、バックライト駆動部４４０、バックライト部４５０、走査ドライバ４６０、データドライバ４７０、液晶パネル部４８０は、図３の映像処理部３１０、タイミング制御部３２０、バックライト駆動部３４０、バックライト部３５０、走査ドライバ３６０、データドライバ３７０、液晶パネル部３８０と同一に動作する。
【００４４】
ブリンキング制御部４３０は、タイミング制御部４２０で発生するＳＴＶやＣＰＶのようなタイミング制御データを用いて、バックライト駆動制御信号及びシャッターガラス制御信号を生成する。ブリンキング制御部４３０は、ラッチやインバータなどの論理回路を用いてＳＴＶやＣＰＶ信号に同期して、トグル形態のバックライト駆動制御信号及びシャッターガラス制御信号を生成する。
【００４５】
図５Ａは、図４のブリンキング制御部４３０の動作タイミング図である。
【００４６】
まず、映像処理部３１０またはタイミング制御部３２０でＳＴＶ信号または垂直同期信号Ｖｓｙｎｃが発生する。
【００４７】
次いで、ＳＴＶ信号または垂直同期信号Ｖｓｙｎｃに同期して、ハイレベル及びローレベルを持つトグル形態のブリンキング信号（バックライト駆動制御信号）が生成される。ここでブリンキング信号は、バックライト駆動制御信号に該当する。
【００４８】
したがって、ブリンキング信号は、ＳＴＶ信号または垂直同期信号Ｖｓｙｎｃに同期してバックライト部３５０または４５０のオン／オフ動作を制御する。例えば、バックライト駆動部３４０または４４０は、トグル形態のブリンキング信号によってバックライト部３５０または４５０を駆動する。
【００４９】
次いで、ブリンキング信号は、ラッチなどを用いてトグル形態のシャッターガラス制御信号に変換される。すなわち、シャッターガラス制御信号は、ブリンキング信号に同期してブリンキング信号のハイレベルまたはローレベルごとにトグルされる。
【００５０】
この時、ブリンキング信号のパルス間隔（または周波数範囲）は、クロストークの量を調節するために変更され、液晶ディスプレイの応答速度によって＋、−方向に最小０．１％〜最大８０％まで調節できる。
【００５１】
したがって、シャッターガラス制御信号は、左眼シャッターガラス及び右眼シャッターガラスのオープン／クローズを制御する。例えば、シャッターガラス制御信号がローレベルならば、右眼シャッターガラスがクローズされて左眼シャッターガラスがオープンされる。
【００５２】
この時、シャッターガラス制御信号のパルス間隔（または周波数範囲）は、クロストークの量を調節するために変更でき、液晶ディスプレイの応答速度によって＋、−方向に最小０．１％〜最大８０％まで調節できる。
【００５３】
図５Ｂは、通例的に右眼映像Ｒと左眼映像Ｌとが周期Ｔ別に液晶パネル部３８０に表示されることを図示する。
【００５４】
液晶パネル部３８０は、１フレーム（右眼映像または左眼映像）の映像を画面の上から下に順次に走査し、画面の下側で以前フレームの映像がディスプレイされている間、画面の上側では次のフレームの映像がディスプレイされる。例えば、１フレームが完全に走査される時間を“Ｔ”という時、時間“０”では、右眼映像が画面全体でディスプレイされ、時間“Ｔ”では、左眼映像が画面全体でディスプレイされる。しかし、時間“０”と“Ｔ”との間では右眼映像が左眼映像に連続的に変わっているため、画面の上側には左眼映像がディスプレイされ、画面の下側には右眼映像がディスプレイされる。その結果、左眼映像と右眼映像とが画面を共有する時間が存在する。このような共有時間内で既存のようにバックライトがオン状態を維持するならば、視聴者の一側目には右眼映像と左眼映像とが完全に分離されずに混ざって見えるクロストーク現象が発生する。
【００５５】
本実施形態は、液晶パネル部３８０に背景光を提供するバックライト部３５０のターンオン区間及び周期を調整することで、前記クロストーク現象を抑制する。
【００５６】
図６Ａは、図１の立体映像の表示装置で、左眼映像と右眼映像とのクロストーク現象を除去する第１実施形態のタイミングダイヤグラムである。
【００５７】
本発明の一実施形態では、左眼用映像と右眼用映像とがミックスされる区間でのクロストーク現象を除去できる。
【００５８】
まず、２回の左眼映像Ｌ１、Ｌ２及び２回の右眼映像Ｒ１、Ｒ２が交互に出力される。２回の左眼映像Ｌ１、Ｌ２は互いに同じ信号である。また２回の右眼映像Ｒ１、Ｒ２は互いに同じ信号である。
【００５９】
第１左眼映像Ｌ１が出力されれば、その第１左眼映像Ｌ１は、液晶ディスプレイのデータホールディング特性によりホールディングされた第２右眼映像Ｒ２とミックスされている。このような左眼映像と右眼映像とがミックスされた表示区間はクロストーク現象を引き起こす。
【００６０】
この時、第１左眼映像Ｌ１が表示される区間（クロストーク区間）でバックライト部はオフ（ＯＦＦ）されて、左シャッターはオープン（ＯＰＥＮ）が維持され、右シャッターはクローズ（ＣＬＯＳＥ）が維持される。
【００６１】
したがって、第１左眼映像が表示される区間でバックライト部がオフされるため、左側目には映像が見えない。
【００６２】
次いで、第２左眼映像Ｌ２が出力されれば、第１左眼映像Ｌ１は、液晶ディスプレイのデータホールディング特性によりホールディングされた第２左眼映像Ｌ２とミックスされている。
【００６３】
この時、第２左眼映像Ｌ２が表示される区間でバックライト部はオン（ＯＮ）されて、左シャッターはオープン（ＯＰＥＮ）が維持され、右シャッターはクローズ（ＣＬＯＳＥ）が維持される。
【００６４】
したがって、第２左眼映像が表示される区間では、クロストーク現象のない完全な左眼映像が出力される。
【００６５】
次いで、第１右眼映像Ｒ１が出力されれば、その第１右眼映像Ｒ１は、液晶ディスプレイのデータホールディング特性によりホールディングされた第２左眼映像Ｌ２とミックスされている。
【００６６】
この時、第１右眼映像Ｒ１が表示される区間（クロストーク区間）でバックライト部はオフ（ＯＦＦ）されて、左シャッターはクローズ（ＣＬＯＳＥ）され、右シャッターはオープン（ＯＰＥＮ）される。
【００６７】
したがって、第１右眼映像が表示される区間でバックライト部はオフされるため、右側目には映像が見えない。
【００６８】
次いで、第２右眼映像Ｒ２が出力されれば、第１右眼映像Ｒ１は、液晶ディスプレイのデータホールディング特性によりホールディングされた第２右眼映像Ｒ１とミックスされている。
【００６９】
この時、第２右眼映像Ｒ２が表示される区間でバックライト部はオン（ＯＮ）されて、左シャッターはクローズ（ＣＬＯＳＥ）が維持され、右シャッターはオープン（ＯＰＥＮ）が維持される。
【００７０】
したがって、第２右眼映像が表示される区間では、クロストーク現象のない完全な右眼映像が出力される。
【００７１】
図６Ｂは、図１の立体映像の表示装置で、左眼映像と右眼映像とのクロストーク現象を除去する第２実施形態のタイミングダイヤグラムである。図６Ｂを見れば、２回の右眼映像Ｒ１、Ｒ２及び２回の左眼映像Ｌ１、Ｌ２が交互に出力される。２回の右眼映像Ｒ１、Ｒ２は、互いに同じ信号である。また２回の左眼映像Ｌ１、Ｌ２は、互いに同じ信号である。
【００７２】
したがって、図６Ｂのタイミング図は、図６Ａのタイミング図と比較して、２回の左眼映像Ｌ１、Ｌ２を２回の右眼映像Ｒ１、Ｒ２に代替し、２回の右眼映像Ｒ１、Ｒ２を２回の左眼映像Ｌ１、Ｌ２に代替している。
【００７３】
例えば、第１右眼映像Ｒ１が表示される区間でバックライトをオフして、右シャッターをオープンし、左シャッターをクローズする。そして、第２右眼映像Ｒ２が表示される区間でバックライトをオンして、右シャッターをオープンし、左シャッターをクローズする。
【００７４】
図６Ｃは、図１の立体映像の表示装置で、左眼映像と右眼映像とのクロストーク現象を除去する第３実施形態のタイミングダイヤグラムである。図６Ｃのタイミング図は、図６Ａのタイミング図と比較して、２回の右眼映像Ｒ１、Ｒ２を一回の右眼映像Ｒ及び一回のブラック映像Ｂに代替し、２回の左眼映像Ｌ１、Ｌ２を一回の左眼映像Ｌ及び一回のブラック映像Ｂに代替している。
【００７５】
例えば、右眼映像Ｒが表示される区間でバックライトをオフして、右シャッターをオープンし、左シャッターをクローズする。そして、ブラック映像Ｂが表示される区間でバックライトをオンして、右シャッターをオープンし、左シャッターをクローズする。
【００７６】
図６Ｄは、図１の立体映像の表示装置で、左眼映像と右眼映像とのクロストーク現象を除去する第４実施形態のタイミングダイヤグラムである。図６Ｄのタイミング図は、図６Ａのタイミング図と比較して、２回の左眼映像Ｌ１、Ｌ２を一回の左眼映像Ｌ及び一回のブラック映像Ｂに代替し、２回の右眼映像Ｒ１、Ｒ２を一回の右眼映像Ｒ及び一回のブラック映像Ｂに代替している。
【００７７】
例えば、左眼映像Ｌが表示される区間でバックライトをオフして、左シャッターをオープンし、右シャッターをクローズする。そして、ブラック映像Ｂが表示される区間でバックライトをオンして、左シャッターをオープンし、右シャッターをクローズする。
【００７８】
図６Ｅは、図１の立体映像の表示装置で、左眼映像と右眼映像とのクロストーク現象を除去する第５実施形態のタイミングダイヤグラムである。図６Ｅのタイミング図は、図６Ａのタイミング図と比較して、２回の左眼映像Ｌ１、Ｌ２を一回のブラック映像Ｂ及び一回の左眼映像Ｌに代替し、２回の右眼映像Ｒ１、Ｒ２を一回のブラック映像Ｂ及び一回の左眼映像Ｌに代替している。
【００７９】
例えば、ブラック映像Ｂが表示される区間でバックライトをオフして、左シャッターをオープンし、右シャッターをクローズする。そして、左眼映像Ｌが表示される区間でバックライトをオンして、左シャッターをオープンし、右シャッターをクローズする。
【００８０】
図６Ｆは、図１の立体映像の表示装置で、左眼映像と右眼映像とのクロストーク現象を除去する第６実施形態のタイミングダイヤグラムである。図６Ｆのタイミング図は、図６Ａのタイミング図と比較して２回の左眼映像Ｌ１、Ｌ２を一回のブラック映像Ｂ及び一回の右眼映像Ｒに代替し、２回の右眼映像Ｒ１、Ｒ２を一回のブラック映像Ｂ及び一回の左眼映像Ｌに代替している。
【００８１】
例えば、ブラック映像Ｂが表示される区間でバックライトをオフして、右シャッターをオープンし、左シャッターをクローズする。そして、右眼映像Ｒが表示される区間でバックライトをオンして、右シャッターをオープンし、左シャッターをクローズする。
【００８２】
図７Ａ及び図７Ｂは、一実施形態によって、２４０Ｈｚ  ＬＣＤ  ＴＶの液晶パネルに走査される左眼映像及び右眼映像の出力タイミング図である。
【００８３】
図７Ａで左眼映像及び右眼映像は、左眼映像／ブラックデータ及び右眼映像／ブラックデータに変形される。図７Ａで、垂直軸は、走査方向であって液晶パネルの画面での位置を表し、水平軸は、時間軸を表す。
【００８４】
図７Ａで、Ｌは、左眼映像走査区間であり、Ｒは、右眼映像走査区間であり、Ｂは、ブラックデータ走査区間である。左眼映像Ｌ／ブラックデータＢ及び右眼映像Ｒ／ブラックデータＢは、２４０Ｈｚの垂直同期Ｖ−ｓｙｎｃ信号によって液晶パネルに交互に表示される。
【００８５】
図７Ｂで、左眼映像及び右眼映像は、左眼映像／左眼映像及び右眼映像／右眼映像に変形される。図５Ｂで、垂直軸は、走査方向であって液晶パネルの画面での位置を表し、水平軸は、時間軸を表す。
【００８６】
図７Ｂで、Ｌ１は、第１左眼映像走査区間であり、Ｌ２は、第２左眼映像走査区間であり、Ｒ１は、第１右眼映像走査区間であり、Ｒ２は、第２右眼映像走査区間である。第１左眼映像Ｌ１／第２左眼映像Ｌ２及び第１右眼映像Ｒ１／第２右眼映像Ｒ２は、垂直同期Ｖ−ｓｙｎｃ信号によって液晶パネルに交互に表示される。
【００８７】
図８Ａ及び図８Ｂは、一実施形態によって２４０Ｈｚ  ＬＣＤ  ＴＶの液晶パネルでバックライト駆動を制御するブリンキング制御部の制御タイミング図である。ここでブリンキング制御部は、２４０Ｈｚに駆動するバックライトを制御する。
【００８８】
ブリンキング制御部３３０は、フレーム単位の映像に同期して１フレーム置きでバックライト部３５０をターンオンする。この時、バックライト部３５０は、液晶パネル部３８０の縦方向にＭ個の発光セグメント（または発光ブロック）に分けられる。本発明の一実施形態では、バックライト部３５０は、１０個の発光セグメントＳ１、Ｓ２、Ｓ３、Ｓ４、Ｓ５、Ｓ６、Ｓ７、Ｓ８、Ｓ９、Ｓ１０に分けられる。そして、発光セグメントはそれぞれ個別的にスイッチングできる。バックライト部３５０の発光セグメントは、イメージラインに並んで延びる。このようなバックライト部３５０の各セグメントは、液晶パネル部３８０の各映像に同期してターンオン／ターンオフされる。
【００８９】
バックライト部３５０のバックライトターンオン周期は映像の垂直同期周期より短くし、望ましくは、映像の垂直同期周期の１／Ｎに設定し、Ｎは、２より大きいか、または同じ整数（たとえば、Ｎ＝２、３、４…）である。例えば、２４０Ｈｚに駆動する液晶ディスプレイ装置で立体映像を具現するためには、バックライトターンオン周期は１２０Ｈｚにならねばならない。
【００９０】
またバックライト部３５０のターンオン区間は、前記映像の垂直同期周期より短くする。
【００９１】
そして、バックライト部３５０のセグメントＳ１、Ｓ２、Ｓ３、Ｓ４、Ｓ５、Ｓ６、Ｓ７、Ｓ８、Ｓ９、Ｓ１０間には、互いに一定ディレー間隔または一定でないディレー間隔でターンオンされる。
【００９２】
図８Ａを参照するに、ブリンキング制御部３３０は、垂直同期信号によって交互に出力される左眼映像／ブラックデータ及び右眼映像／ブラックデータに同期して、バックライト部３５０のターンオン周期及びバックライト部３５０のターンオン区間を調整する。すなわち、バックライト部３５０は、左眼映像Ｌフレームでターンオンされ、ブラックデータフレームでターンオフされる。結局、バックライトは１フレーム置きでターンオンされる。
【００９３】
またバックライト部３５０のセグメントＳ１〜Ｓ１０は、映像の垂直同期周期より少ないターンオン周期を持ち、また互いに一定ディレー間隔を持ってターンオンされる。
【００９４】
従来には、バックライトが１フレームごとにターンオンされれば、左眼映像及び右眼映像が完全に分離されずに１フレーム内で左眼映像と右眼映像とが互いにミックスされるクロストーク現象を発生させる。
【００９５】
しかし、本発明では、ブラックデータフレームを用いてバックライトを１フレーム置きでターンオンさせることで、左眼映像及び右眼映像がクロストークされる問題を最小化できる。そして、左眼映像及び右眼映像間のクロストークを少なくするためにバックライトのターンオン区間を最小化する必要もないため、輝度の低減を最小化できる。
【００９６】
図８Ｂを参照するに、２回の右眼映像Ｒ１、Ｒ２及び２回の左眼映像Ｌ１、Ｌ２が交互に出力される。２回の右眼映像Ｒ１、Ｒ２は、互いに同じ信号である。また２回の左眼映像Ｌ１、Ｌ２も互いに同じ信号である。バックライト制御部３３０は、垂直同期信号によって交互に出力される左眼映像／左眼映像及び右眼映像／右眼映像に同期して、バックライト部３５０のターンオン周期及びバックライト部３５０のセグメント間のターンオンディレーを調整する。
【００９７】
バックライト部３５０は、第２左眼映像Ｌ２フレームでターンオンされ、第１右眼映像フレームでターンオフされ、第２右眼映像フレームでターンオンされ、第１左眼映像フレームでターンオフされる。結局、バックライトは１フレーム置きでターンオンされる。またバックライト部３５０のセグメントＳ１〜Ｓ１０は、映像の垂直同期周期より短いターンオン周期を持ち、そして互いに一定ディレー間隔を持ってターンオンされる。
【００９８】
したがって、本発明では、反復的な左眼映像及び右眼映像フレームを使用してバックライトを１フレーム置きでターンオンさせることで、左眼映像及び右眼映像がクロストークされる問題を最小化できる。そして、左眼映像及び右眼映像間のクロストークを少なくするためにバックライトのターンオン区間を最小化する必要もないため、輝度の低減を最小化できる。
【００９９】
図９Ａ及び図９Ｂは、他の実施形態によって、２４０Ｈｚ  ＬＣＤ  ＴＶで液晶パネルの背景光を提供するブリンキング制御部の制御タイミング図である。
【０１００】
バックライト部３５０の発光セグメントＳ１〜Ｓ１０は、互いに一定でないターンオン時間ディレーを持つ。図７Ａ及び図７Ｂを参照するに、第１発光セグメントＳ１と第２発光セグメントＳ２は互いに同一にターンオンされて、また第９発光セグメントＳ９と第１０発光セグメントＳ１０も互いに同一にターンオンされる。すなわち、第１発光セグメントＳ１〜第１０発光セグメントＳ１０は、一定でないターンオン時間ディレーを持つ。
【０１０１】
図１０は、本発明の一実施形態による立体映像の表示方法を示すフローチャートである。
【０１０２】
まず、立体映像表示のために反復的な左眼映像及び反復的な右眼映像を交互に生成する（１００５過程）。望ましくは、２回の左眼映像及び２回の右眼映像を交互に生成する。
【０１０３】
次いで、入力映像が左眼映像であるか、または右眼映像であるかをチェックする（１０１０過程）。
【０１０４】
この時、入力映像が左眼映像であるとチェックされれば、第１左眼映像であるか、または第２左眼映像であるかをチェックする（１０２０過程）。
【０１０５】
次いで、第１左眼映像ならば、第１左眼映像表示区間中に左眼シャッターガラスをオープンし（１０３２過程）、右眼シャッターガラスをクローズし（１０３４過程）、バックライトをオフする（１０３６過程）。
【０１０６】
しかし、第２左眼映像ならば、第２左眼映像表示区間中に左眼シャッターガラスをオープンし（１０４２過程）、右眼シャッターガラスをクローズし（１０４４過程）、バックライトをオンさせる（１０４６過程）。
【０１０７】
一方、入力映像が右眼映像であるとチェックされれば、第１右眼映像であるか、または第２右眼映像であるかをチェックする（１０５０過程）。
【０１０８】
次いで、第１右眼映像ならば、第１右眼映像表示区間中に左眼シャッターガラスをクローズし（１０６２過程）、右眼シャッターガラスをオープンし（１０６４過程）、バックライトをオフする（１０６６過程）。
【０１０９】
しかし、第２右眼映像ならば、第２右眼映像表示区間中に左眼シャッターガラスをクローズし（１０７２過程）、右眼シャッターガラスをオープンし（１０７４過程）、バックライトをオンする（１０７６過程）。
【０１１０】
最後に、立体映像の表示装置が電源オフになるまで１００５過程〜１０７６過程を繰り返す。
【０１１１】
図１１は、本発明の一実施形態による２４０Ｈｚ  ＬＣＤ  ＴＶで立体映像の表示方法を示すフローチャートである。
【０１１２】
まず、立体映像表示のために反復的な左眼映像及び反復的な右眼映像を交互に入力する（１１０５過程）。望ましくは、２回の左眼映像及び２回の右眼映像を交互に入力する。この時、反復的な左眼映像及び反復的な右眼映像は、逐次的な複数の映像ラインを持つディスプレイを通じて交互に表示される。
【０１１３】
次いで、既定の信号フォーマットによって入力映像が左眼映像であるか、または右眼映像であるかをチェックする（１１１０過程）。
【０１１４】
この時、入力映像が左眼映像であるとチェックされれば、第１左眼映像であるか、または第２左眼映像であるかをチェックする（１１２０過程）。
【０１１５】
次いで、第１左眼映像ならば、第１左眼映像表示区間中に左眼シャッターガラスをオープンし（１１３０過程）、右眼シャッターガラスをクローズし（８３２過程）、バックライトをターンオフする（１１３６過程）。
【０１１６】
しかし、第２左眼映像ならば、第２左眼映像表示区間中に左眼シャッターガラスをオープンし（１１４２過程）、右眼シャッターガラスをクローズし（１１４４過程）、バックライトをターンオンして、そのバックライトのセグメント間のターンオン時間を調整する（１１４６過程）。この時、バックライトのセグメント間のターンオン時間は、一定のディレー間隔または一定でないディレー間隔に調整される。
【０１１７】
一方、入力映像が右眼映像であるとチェックされれば、第１右眼映像であるか、または第２右眼映像であるかをチェックする（１１５０過程）。
【０１１８】
次いで、第１右眼映像ならば、第１右眼映像表示区間中に左眼シャッターガラスをクローズし（１１６２過程）、右眼シャッターガラスをオープンし（１１６４過程）、バックライトをオフする（１１６６過程）。
【０１１９】
しかし、第２右眼映像ならば、第２右眼映像表示区間中に左眼シャッターガラスをクローズし（１１７２過程）、右眼シャッターガラスをオープンし（１１７４過程）、バックライトをターンオンして、そのバックライトのセグメント間のターンオン時間を調整する（１１７６過程）。この時、バックライトのセグメント間のターンオン時間は、一定のディレー間隔または一定でないディレー間隔に調整される。
【０１２０】
最後に、立体映像の表示装置が電源オフになるまで１１０５過程〜１１７６過程を繰り返す。
【０１２１】
一方、他の実施形態として、２回の左眼映像を一回のブラックデータ及び一回の左眼映像に代替し、２回の右眼映像を一回のブラックデータ及び一回の左眼映像に代替できる。ブラックデータ／左眼映像及びブラックデータ／右眼映像は、逐次的な複数の映像ラインを持つディスプレイを通じて交互に表示される。
【０１２２】
この時、ブラックデータが表示される区間ではバックライトをオフし、左眼映像または右眼映像が表示される区間ではバックライトをターンオンして、そのバックライトのセグメント間のターンオン時間を調整する。
【産業上の利用可能性】
【０１２３】
本発明は立体映像の表示装置に係り、一般的に液晶シャッターガラス方式の立体液晶ディスプレイ装置に適用できる。
【０１２４】
本発明はまた、コンピュータで読み取り可能な記録媒体にコンピュータで読み取り可能なコードとして具現することができる。コンピュータで読み取り可能な記録媒体は、コンピュータシステムによって読み取られるデータが保存されるあらゆる種類の記録装置を含む。コンピュータで読み取り可能な記録媒体の例には、ＲＯＭ、ＲＡＭ、ＣＤ−ＲＯＭ、磁気テープ、ハードディスク、フロッピー（登録商標）ディスク、フラッシュメモリ、光データ保存装置などがあり、またコンピュータで読み取り可能な記録媒体はネットワークに連結されたコンピュータシステムに分散されて、分散方式でコンピュータで読み取り可能なコードとして保存されて行われうる。
【０１２５】
以上の説明は本発明の一実施形態に過ぎず、当業者ならば、本発明の本質的特性を逸脱しない範囲で変形された形態に具現できる。したがって、本発明の範囲は前述した実施形態に限定されず、特許請求の範囲に記載された内容と同等な範囲内にある多様な実施形態が含まれるように解釈されねばならない。
【図１】
2012503218.tif 000003
【図２】
2012503218.tif 000004
【図３】
2012503218.tif 000005
【図４】
2012503218.tif 000006
【図５Ａ】
2012503218.tif 000007
【図５Ｂ】
2012503218.tif 000008
【図６Ａ】
2012503218.tif 000009
【図６Ｂ】
2012503218.tif 000010
【図６Ｃ】
2012503218.tif 000011
【図６Ｄ】
2012503218.tif 000012
【図６Ｅ】
2012503218.tif 000013
【図６Ｆ】
2012503218.tif 000014
【図７Ａ】
2012503218.tif 000015
【図７Ｂ】
2012503218.tif 000016
【図８Ａ】
2012503218.tif 000017
【図８Ｂ】
2012503218.tif 000018
【図９Ａ】
2012503218.tif 000019
【図９Ｂ】
2012503218.tif 000020
【図１０】
2012503218.tif 000021
【図１１】
2012503218.tif 000022
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
立体映像の表示方法において、
反復的な左眼映像及び反復的な右眼映像を交互に生成する過程と、
前記左眼映像と右眼映像とがミックスされる表示区間中にバックライトをオフさせ、前記左眼映像または右眼映像のみ表示される区間中にバックライトをオンさせる過程と、
前記バックライトがオンされる間に左眼シャッターガラス及び右眼シャッターガラスを制御する過程と、を含む立体映像の表示方法。
【請求項２】
前記左眼映像及び右眼映像生成過程は、
少なくとも一つ以上の左眼映像と少なくとも一つ以上の右眼映像とを交互に生成する過程であることを特徴とする請求項１に記載の立体映像の表示方法。
【請求項３】
前記左眼映像及び右眼映像生成過程は、
左眼映像／ブラック映像と右眼映像／ブラック映像とを交互に生成する過程であることを特徴とする請求項１に記載の立体映像の表示方法。
【請求項４】
前記反復的な左眼映像及び反復的な右眼映像を交互に生成する過程は、
第１左眼映像及び第１左眼映像を含む映像と、及び第１右眼映像及び第２右眼映像を含む映像とを交互に生成することを特徴とする請求項１に記載の立体映像の表示方法。
【請求項５】
前記バックライトのオン及びオフ過程は、
所定の基準信号に同期してバックライトオンまたはオフを制御し、
第１左眼または第１右眼映像が表示される区間でバックライトをオフし、第２左眼または第２右眼映像が表示される区間でバックライトをオンすることを特徴とする請求項１に記載の立体映像の表示方法。
【請求項６】
前記左眼映像のみ表示される区間は、
第１左眼映像と第２左眼映像とがミックスされて左眼映像のみ表示される区間であることを特徴とする請求項１に記載の立体映像の表示方法。
【請求項７】
前記右眼映像のみ表示される区間は、
第１右眼映像と第２右眼映像とがミックスされて右眼映像のみ表示される区間であることを特徴とする請求項１に記載の立体映像の表示方法。
【請求項８】
前記左眼シャッターガラス及び右眼シャッターガラス制御過程は、
所定の基準信号に同期して前記左眼及び右眼シャッターガラスのオープンまたはクローズを制御し、
前記反復的な左眼映像区間中に、左眼シャッターガラスをオープンして右眼シャッターガラスをクローズし、
前記反復的な右眼映像が表示される区間中に、右眼シャッターガラスをオープンして左眼シャッターガラスをクローズすることを特徴とする請求項１に記載の立体映像の表示方法。
【請求項９】
前記バックライトのオン／オフ過程は、
所定の基準信号によってバックライトのオンまたはオフを制御する過程を含み、
前記左眼シャッターガラス及び右眼シャッターガラス制御は、
バックライトの状態によってシャッターガラスのオープンまたはクローズを制御することを特徴とする請求項１に記載の立体映像の表示方法。
【請求項１０】
前記所定の基準信号は、映像データから抽出される垂直同期信号であることを特徴とする請求項１に記載の立体映像の表示方法。
【請求項１１】
前記所定の基準信号は、タイミング制御器から生成されるＳＴＶ（Ｓｔａｒｔ  Ｖｅｒｔｉｃａｌ）またはＣＰＶ（Ｃｌｏｃｋ  Ｐｕｌｓｅ  Ｖｅｒｔｉｃａｌ）信号であることを特徴とする請求項１に記載の立体映像の表示方法。
【請求項１２】
立体映像の表示装置において、
反復的な左眼映像及び反復的な右眼映像を交互に生成する映像処理部と、
前記映像処理部で生成される左眼映像及び右眼映像から映像データ及び基準信号を抽出するタイミング制御部と、
前記タイミング制御部から生成される基準信号に同期してバックライト駆動制御信号及びシャッター制御信号を生成するブリンキング制御部と、を備え、
前記ブリンキング制御部は、左眼映像と右眼映像とがミックスされる区間中にバックライトをオフさせ、左眼映像または右眼映像のみ表示される区間中にバックライトをオンさせ、バックライトがオンされる時、左眼映像表示区間及び右眼映像表示区間中に左側シャッターガラスをオープンし、右側シャッターガラスをクローズさせることを特徴とする映像表示装置。
【請求項１３】
前記立体映像の表示装置は、ホールドタイプのディスプレイ装置またはバックライトを光源として使用するディスプレイ装置であることを特徴とする請求項１２に記載の映像表示装置。
【請求項１４】
前記シャッターガラス制御信号によって、左眼シャッター及び右眼シャッターに駆動信号を供給する液晶シャッター駆動部をさらに備え、
前記液晶シャッター駆動部は、左眼映像表示区間中に左眼シャッターガラスをオープンさせ、右眼映像表示区間中に右眼シャッターガラスをオープンさせることを特徴とする請求項１２に記載の映像表示装置。
【請求項１５】
前記ブリンキング制御部は、
前記基準信号に同期してトグル形態のブリンキング信号を生成し、前記ブリンキング信号によって前記バックライトのオンまたはオフ動作を制御し、
前記ブリンキング信号のローレベルごとにトグルしてシャッター制御信号を生成し、前記シャッター制御信号によって前記シャッターガラスオープンまたはクローズ動作を制御することを特徴とする請求項１２に記載の立体映像の表示装置。
【請求項１６】
前記ブリンキング制御部でバックライト駆動制御信号及びシャッターガラス制御信号のパルス間隔は、ディスプレイの応答速度によって調節されることを特徴とする請求項１２に記載の映像表示装置。
【請求項１７】
立体映像の表示方法において、
立体映像を具現するために前記反復的な左眼映像及び反復的な右眼映像を、逐次的な複数の映像ラインを持つディスプレイを通じて交互に表示する過程と、
前記反復的な左眼映像及び反復的な右眼映像に同期して複数の発光セグメントで構成されたバックライト装置のターンオン周期及びターンオン区間を調整する過程と、を含む立体映像の表示方法。
【請求項１８】
前記バックライト装置のターンオン周期は、前記映像の垂直同期周期より少なくすることを特徴とする請求項１７に記載の立体映像の表示方法。
【請求項１９】
前記バックライト装置のターンオン周期は、前記映像の垂直同期周期の１／Ｎ周期であり、Ｎは、２より大きいか、または同じ整数であることを特徴とする請求項１７に記載の立体映像の表示方法。
【請求項２０】
前記バックライト装置は、一つの映像フレームを渡る度にターンオンされることを特徴とする請求項１７に記載の立体映像の表示方法。
【請求項２１】
前記バックライト装置のターンオン区間は、一定ディレー間隔または一定でないディレー間隔であることを特徴とする請求項１７に記載の立体映像の表示方法。
【請求項２２】
前記バックライト装置の発光セグメントは、前記ディスプレイの縦方向に複数形成されることを特徴とする請求項１７に記載の立体映像の表示方法。
【請求項２３】
前記バックライト装置のターンオン周期及びターンオン区間調整過程は、
所定の基準信号に同期してバックライトをターンオンまたはターンオフし、
第１左眼映像または第１右眼映像が表示される区間でバックライトをターンオフし、第２左眼または第２右眼映像が表示される区間でバックライトをターンオンし、そのバックライトのセグメント間のターンオン時間を調整することを特徴とする請求項１７に記載の立体映像の表示方法。
【請求項２４】
立体映像の表示方法において、
立体映像を具現するために反復的なブラック映像／左眼映像及びブラック映像／右眼映像を、逐次的な複数の映像ラインを持つディスプレイを通じて交互に表示する過程と、
前記反復的なブラック映像／左眼映像及びブラック映像／右眼映像に同期して、複数の発光セグメントで構成されたバックライト装置のターンオン周期及びターンオン区間を調整する過程と、を含む立体映像の表示方法。
【請求項２５】
前記バックライト装置のターンオン周期は、前記映像の垂直同期周期より少なくすることを特徴とする請求項２４に記載の立体映像の表示方法。
【請求項２６】
前記バックライト装置のターンオン周期は、前記映像の垂直同期周期の１／Ｎ周期であり、Ｎは、２より大きいか、または同じ整数であることを特徴とする請求項２４に記載の立体映像の表示方法。
【請求項２７】
前記ライト装置のターンオン周期及びターンオン区間調整過程は、
所定の基準信号に同期してバックライトをターンオン／ターンオフし、
ブラック映像が表示される区間でバックライトをターンオフし、左眼映像または右眼映像が表示される区間でバックライトをターンオンし、そのバックライトのセグメント間のターンオン時間を調整することを特徴とする請求項２４に記載の立体映像の表示方法。
【請求項２８】
立体映像の表示装置において、
反復的な左眼映像及び反復的な右眼映像を交互に生成し、その映像信号から垂直同期信号を抽出する映像処理部と、
前記映像処理部で生成された左眼映像及び右眼映像から映像データ及び基準信号を抽出するタイミング制御部と、
前記映像処理部で生成された反復的な左眼映像及び反復的な右眼映像をディスプレイする液晶パネル部と、
複数の発光セグメントに区切られて前記液晶パネル部に背景光を提供するバックライト部と、
前記映像処理部で生成される垂直同期信号に同期して、前記バックライト部のターンオン周期及びバックライト内の発光セグメント間のターンオン区間を調整するブリンキング制御部と、を備える立体映像の表示装置。
【請求項２９】
前記ブリンキング制御部は、
前記バックライトのターンオン周期を映像の垂直同期周期の１／Ｎ周期に調整し、Ｎは、２より大きいか、または同じ整数であることを特徴とする請求項２８に記載の立体映像の表示装置。
【請求項３０】
前記ブリンキング制御部は、
前記バックライトのセグメント間のターンオン区間を、一定ディレー間隔または一定でないディレー間隔に調整することを特徴とする請求項２８に記載の立体映像の表示装置。
【請求項３１】
請求項１に記載の方法を行わせるためのプログラムを記録したコンピュータで読み取り可能な記録媒体。
【請求項３２】
立体映像の表示システムにおいて、
調整可能なバックライトを備え、左眼映像と右眼映像との間に所定映像を挿入してシャッター制御信号を生成する立体映像の表示装置と、
前記シャッター制御信号により制御される左眼シャッター及び右眼シャッターを備えるシャッターガラスと、を備える立体映像の表示システム。
【請求項３３】
前記バックライトは、前記所定映像の表示中にターンオフされ、前記左眼映像及び右眼映像の表示中にターンオンされることを特徴とする請求項３２に記載の立体映像の表示システム。
【請求項３４】
前記左眼映像の表示中に前記左眼シャッターはオープンされ、右眼シャッターはクローズされることを特徴とする請求項３２に記載の立体映像の表示システム。
【請求項３５】
前記右眼映像の表示中に前記右眼シャッターはオープンされ、左眼シャッターはクローズされることを特徴とする請求項３２に記載の立体映像の表示システム。
【請求項３６】
前記所定映像は、ブラック映像であることを特徴とする請求項３２に記載の立体映像の表示システム。
【請求項３７】
前記所定映像は、次のシーケンシャル映像と同じであることを特徴とする請求項３２に記載の立体映像の表示システム。
【請求項３８】
立体映像の表示方法において、
所定の順序によって少なくとも一つの左眼映像と少なくとも一つの右眼映像とを交互に表示する過程と、
左眼映像及び右眼映像が同時に表示される区間中にターン−オフされる複数のセグメントと、前記左眼映像及び右眼映像のうち一つのみ表示される区間中にターンオンされるバックライトの少なくとも一つのセグメントとを備えるバックライト部を制御する過程と、を含む立体映像の表示方法。
【請求項３９】
前記バックライト部の各セグメントは、前記左眼映像及び右眼映像のうち一つのみ表示される区間中に、前記左眼映像及び右眼映像のうち一つのスキャニングと同期して順次にターンオン及びターン−オフされることを特徴とする請求項３８に記載の立体映像の表示方法。
【請求項４０】
前記バックライト部の複数セグメントは、ディスプレイの垂直方向に配置されることを特徴とする請求項３８に記載の立体映像の表示方法。
【請求項４１】
前記所定順序は、左眼映像、左眼映像、右眼映像、右眼映像で構成される反復される順序を含むことを特徴とする請求項３８に記載の立体映像の表示方法。
【請求項４２】
シャッターガラスと同期されるシャッターガラスに同期信号を伝送する過程をさらに含み、前記シャッターガラスの左眼シャッター及び右眼シャッターは同期信号によって制御されることを特徴とする請求項３８に記載の立体映像の表示方法。
【国際調査報告】
2012503218.tif 000023
2012503218.tif 000024